(57)【要約】      （修正有）【課題】点検口ハッチ用の取付孔と、当該点検口ハッチに貼り付ける点検口ハッチ用化粧板と、を設けるための切断補助線を容易かつ正確に罫書くことができ、点検口ハッチ用の取付孔開口時に切り出された切断材を点検口ハッチ用化粧板として有効活用可能な点検口用罫書き治具を提供する。【解決手段】少なくとも、四角形の薄板で内部に相似形の中抜きを有した治具本体部３と、前記治具本体部３に取付けられた使用者が把持するための操作用取手５と、から構成され、前記治具本体部３には、内側縁１５と、外側縁１７と、を有すること、を特徴とする。【選択図】図１
0003204039.tif 000002
【実用新案登録請求の範囲】
【請求項１】
略四角形の薄板で構成され、内部に前記略四角形と相似形の中抜き部を有する枠状の治具本体部と、
前記治具本体部の一端部から対向する他端部まで橋渡すように取付けられた操作用取手と、を含むこと、
を特徴とする点検口用罫書き治具。
【請求項２】
前記治具本体部の裏面に設けられた本体部滑り止めと、
前記操作用取手に設けられた取手部滑り止めと、を有すること、
を特徴とする請求項１に記載の点検口用罫書き治具。
【請求項３】
前記治具本体部の表面に設けられた計測用目盛りを有すること、
を特徴とする請求項１又は２に記載の点検口用罫書き治具。
【考案の詳細な説明】
【技術分野】
【０００１】
本考案は、点検口ハッチ用の取付孔と、当該点検口ハッチに貼り付ける点検口ハッチ用化粧板と、を設けるための切断補助線を容易かつ正確に罫書くことが可能な点検口用罫書き治具１に関する。
【背景技術】
【０００２】
天井・壁内・床下等の配線及び配管の点検やメンテナンスを行うため、点検口が設けられるケースが多い。当該点検やメンテンナスは、建物の良好な維持管理において非常に重要であり、点検口を設けることで建物の経年変化による漏水及び漏電等の事故を防ぎ、建物の内部的な状況を定期的に観察することができる。
【０００３】
点検口は任意に開閉可能な点検口ハッチを用いて構成され、開いた状態では内部の点検やメンテナンスが可能であり、閉じた状態では設置面の意匠を損なわない。当該点検口ハッチは、設置面に取付孔を開口し当該取付孔に挿入して固定されるが、取付孔の開口作業には室内におけるその他構造物との適正な距離及び角度を保つための位置決めを行う工程が必要となる。従来、当該位置決めにはメジャー及び定規等を用いて計測し、設置面に取付孔を設けるための切断補助線を罫書いたうえで取付孔の開口を行う手法が取られていた。一部においては切断補助線を罫書くため、取付孔の形状及びサイズに合致した治具が存在し、位置決めを行う工程の容易化が図られている（例えば特許文献１参照）。
【先行技術文献】
【特許文献】
【０００４】
【特許文献１】特開２００４−７４７６１号広報
【考案の概要】
【考案が解決しようとする課題】
【０００５】
しかしながら、上記従来における取付孔の位置決め手法ではメジャー及び定規の当て方によって正確な角度で切断補助線が罫書きにくい。また、天井を点検口ハッチの設置面とした際には、高い位置での位置決め作業となるため、メジャー及び定規を用いた計測に読み違いが発生する恐れがあった。
【０００６】
更に、点検口ハッチの扉には設置面の仕上材と同様の配色及び模様を有した点検口ハッチ用化粧板を貼り付けることで設置面の意匠を維持するものであるが、当該点検口ハッチ用化粧板を別途切り出して作成する必要があり、場合によっては設置面の仕上材とは異なる板を用いていた。
【０００７】
そこで、本考案は、上記問題に鑑みて創作されたものであり、点検口ハッチ用の取付孔と、当該点検口ハッチに貼り付ける点検口ハッチ用化粧板と、を設けるための切断補助線を容易かつ正確に罫書くことができ、点検口ハッチ用の取付孔開口時に切り出された切断材を点検口ハッチ用化粧板として有効活用可能な点検口用罫書き治具１を提供する。
【課題を解決するための手段】
【０００８】
上記の課題を解決すべく、本考案の点検口用罫書き治具１は、
略四角形の薄板で構成され、内部に前記略四角形と相似形の中抜き部を有する枠状の治具本体部３と、
前記治具本体部３の一端部から対向する他端部まで橋渡すように取付けられた操作用取手５と、を含むこと、
を特徴とする。
【０００９】
このような構成を有する本考案においては、四角形の治具本体部３が内部に当該治具本体部３の外形と相似形の中抜き部を有することから、外形による外側縁１７と、中抜き部による内側縁１５と、が形成されている。当該外側縁１７と、内側縁１５と、を定規として使用することで、点検口ハッチの設置面にサイズの違う２種の四角形における切断補助線を罫書くことができる。更に、治具本体部３には操作用取手５が治具本体部３の一端部から対向する他端部まで橋渡すように取付けられており、使用者による操作及び運搬を補助することができる。
【００１０】
また、上記のような構成を有する本考案の点検口用罫書き治具１においては、
前記治具本体部３の裏面に設けられた本体部滑り止め１１と、
前記操作用取手５に設けられた取手部滑り止め７と、を有すること、
を特徴とすることが好ましい。
【００１１】
治具本体部３の裏面に具備された本体部滑り止め１１により、切断補助線を罫書く際に、あらかじめ位置決めした点検口ハッチの設置面と、治具本体部３と、の位置ずれを抑止することができる。また、操作用取手５においても取手部滑り止め７を具備しているため、操作性及び安全性が向上する。
【００１２】
更に、上記のような構成を有する本考案の点検口用罫書き治具１においては、
前記治具本体部３の表面に計測用目盛り１３を有すること、
を特徴とすることが好ましい。
【００１３】
治具本体部３における外側縁１７と、内側縁１５と、にミリ・インチ・尺等の計測用目盛り１３が記されており、種々の計測に用いることができる。
【図面の簡単な説明】
【００１４】
【図１】本考案の点検口用罫書き治具１の概要を説明する図であり、図１（ａ）は、点検口用罫書き治具１における表の面を示した斜視図であり、図１（ｂ）は、点検口用罫書き治具１における裏の面を示した斜視図である。
【図２】図１に示す操作用取手５の側面を示した側面図である。
【図３】本考案の点検口用罫書き治具１を用いて点検口ハッチ用の取付孔を設ける切断補助線の罫書き手法を説明する図であり、図３（ａ）は、天井仕上材２３に点検口用罫書き治具１を配置した状態を示す見上げ図であり、図３（ｂ）は、罫書き具３１を用いて罫書きを行う状態を示す断面図である。
【考案を実施するための形態】
【００１５】
以下、本考案の点検口用罫書き治具１に係る代表的な実施形態を、図１〜図３を参照しながら詳細に説明するが、本考案は図示されるものに限られないことはいうまでもない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１６】
本考案の点検口用罫書き治具１は、天井への使用に限定するものではないが、本実施例では、天井に点検口ハッチを取付ける例を用いて記述する。
【００１７】
図１（ａ）及び（ｂ）を用いて本考案の点検口用罫書き治具１における詳細について説明する。図１（ａ）及び（ｂ）は、本考案における点検口用罫書き治具１の概要を説明する図であり、図１（ａ）は、点検口用罫書き治具１における表の面を示した斜視図であり、図１（ｂ）は、点検口用罫書き治具１における裏の面を示した斜視図である。
【００１８】
本考案の点検口用罫書き治具１は、建物における部屋の天井に点検口ハッチ（図示せず）を取付けるための取付孔を設ける際、天井仕上材２３に切断補助線を罫書くための治具であって、点検口用罫書き治具１が備える治具本体部３の内側縁１５及び外側縁１７を用いて取付孔と、点検口ハッチ用化粧板と、の双方における切断補助線を罫書くことができるものである。
【００１９】
本考案の点検口用罫書き治具１は概ね、切断補助線を罫書くガイドとなる治具本体部３と、使用者が把持して操作するための操作用取手５と、治具本体部３の裏面に貼り付けられた本体部滑り止め１１と、から構成されている。
【００２０】
治具本体部３は、軽金属等の軽量かつ一定の強度を有した材料で形成されており、薄い長方形の板を４辺として構成された相似形の中抜き部を有する四角形のフレームであり、枠状の形状を有する。治具本体部３の裏面側には樹脂等で形成された本体部滑り止め１１を具備しており、天井仕上材２３に治具本体部３を当接して切断補助線を罫書く際に、あらかじめ位置決めした天井仕上材２３と、治具本体部３と、の位置ずれを抑止する。また、当該治具本体部３の表面側には計測用目盛り１３が記されており、取付孔開口時における種々の計測等に用いることができる。
【００２１】
切断補助線を罫書く際、治具本体部３を定規として用いるが、治具本体部３の内側縁１５及び外側縁１７の双方を使用する。外側縁１７は、点検口ハッチを取付けるための取付孔と同じサイズであり、内側縁１５は、点検口ハッチに取付ける点検口ハッチ用化粧板と同じサイズとなっている。
【００２２】
一般的に通常使用される点検口ハッチは、通称６０６型・４５５型・３０３型における３種の規格が存在しており、治具本体部３は基本的に当該３種の規格それぞれに合わせた３種のサイズが用意されている。また、上記規格サイズ以外においても治具本体部３のサイズを変更することにより、容易に対応することが可能である。従って、本考案の点検口用罫書き治具１は、点検口ハッチ及びその他天井や壁面に取付ける器具に合わせたサイズ展開が想定されている。
【００２３】
次に、図２を用いて操作用取手５の詳細について説明する。図２は、操作用取手５の詳細を説明する図であり、操作用取手５の側面を示した側面図（即ち、治具本体部３を構成する薄板の表面に平行な方向からみた図）である。
【００２４】
操作用取手５は、治具本体部３と同様の軽金属、又はＰＰ及びＡＢＳ等の硬質樹脂で形成された略長板状又は略棒状のブリッジ状のフレームである。図２に示した通り、操作用取手５は使用者が把持するためのフラット部５Ａと、フラット部５Ａを治具本体部３から浮かすための脚部５Ｂと、から形成されており、治具本体部３における対面する２辺に両端部を取付けて治具本体部３と一体化している。即ち、操作用取手５は、治具本体部３の一端部から対向する他端部まで橋渡すように取付けられている。
【００２５】
また、フラット部５Ａの表裏には取手部滑り止め７が貼り付けられており、使用者が操作用取手５を把持して点検口用罫書き治具１を操作する際、手の滑りを抑止して作業時の安全性を高めている。
【００２６】
次に、図３（ａ）及び（ｂ）を用いて本考案の点検口用罫書き治具１を用いた切断補助線の罫書き方法を説明する。図３（ａ）及び（ｂ）は、本考案の点検口用罫書き治具１を用いて点検口ハッチ用の取付孔を設ける切断補助線の罫書き方法を説明する図であり、図３（ａ）は、天井仕上材２３に点検口用罫書き治具１を配置した状態を示す見上げ図であり、図３（ｂ）は、罫書き具３１を用いて罫書きを行う状態を示す断面図である。
【００２７】
まず、使用者は点検口ハッチの取付け位置における基準となる壁面２１（点検口ハッチ取付場所により梁や柱、その他構造物、天井仕上材２３の目地）からの隔離距離Ｌを計測する。当該計測には現場で用いられる一般的なメジャー等の使用が想定されるが、治具本体部３に記された計測用目盛り１３を用いて計測を行うことも可能である。
【００２８】
隔離距離Ｌの計測が完了した後、点検口用罫書き治具１における操作用取手５のフラット部５Ａを把持して、治具本体部３の裏面側に設けられた本体部滑り止め１１を天井仕上材２３に当接させ、図３（ａ）に示した様に壁面２１から当該隔離距離Ｌを離間した位置に点検口用罫書き治具１を移動させることで位置決めを行う。
【００２９】
続いて、使用者は点検口用罫書き治具１における操作用取手５のフラット部５Ａを把持して点検口用罫書き治具１と、天井仕上材２３と、の当接にずれが生じない様に維持しつつ、罫書き具３１を用いて切断補助線を罫書く。罫書き具３１には、建築に用いられる墨付け鉛筆やマーカを使用することが好ましい。
【００３０】
更に具体的には、使用者は操作用取手５のフラット部５Ａを把持した手とは違うもう一方の手で罫書き具３１を持ち、図３（ｂ）に示す様に治具本体部３における内側縁１５と、外側縁１７と、に沿って当該罫書き具３１をスライドさせて天井仕上材２３の表面に２本の切断補助線を罫書く。使用者は一人で作業を行うことが可能であるが、使用者以外の作業補助者が点検口用罫書き治具１の固定又は罫書き具３１を使用した切断補助線の罫書きを分担して作業することも可能である。
【００３１】
天井仕上材２３に２本の切断補助線の罫書きが完了した後、外側縁１７によって罫書いた外側の切断補助線に沿って切断し、天井仕上材２３に取付孔を開口させる。続いて、当該切断によって天井仕上材２３から切り取られた切断材（外側縁１７により罫書いた外側の切断補助線における内側の天井仕上材２３）を、内側縁１５によって罫書いた内側の切断補助線に沿って更に切断し、点検口ハッチ用化粧板として点検口ハッチの扉に貼り付ける。
【００３２】
次に、天井仕上材２３に開口させた取付孔に点検口ハッチを挿入し、所定の固定方法を用いて当該点検口ハッチを天井仕上材２３に固定することで作業の全工程が完了する。
【００３３】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例、変形が存在することを当業者に容易に理解されるであろう。
【産業上の利用可能性】
【００３４】
本考案の点検口用罫書き治具１は、点検口ハッチ用の取付孔と、当該点検口ハッチに貼り付ける点検口ハッチ用化粧板と、を設けるための切断補助線を容易かつ正確に罫書くことが可能な治具であり、点検口ハッチ用の取付孔開口時に切り出された切断材を点検口ハッチ用化粧板として有効活用させるものである。
【符号の説明】
【００３５】
１        点検口用罫書き治具
３        治具本体部
５        操作用取手
５Ａ      フラット部
５Ｂ      脚部
７        取手部滑り止め
１１      本体部滑り止め
１３      計測用目盛り
１５      内側縁
１７      外側縁
２１      壁面
２３      天井仕上材
３１      罫書き具
Ｌ        隔離距離
【図１】
0003204039.tif 000003
【図２】
0003204039.tif 000004
【図３】
0003204039.tif 000005